(57)【要約】【課題】  床面と支持金具の底面の隙間の広狭に関わらず、扉の傾きを確実に防止することのできる変形防止具を提供する。【解決手段】  本発明の変形防止具は、個室などに設置される扉を回転可能に保持する下側ヒンジを下側から支えて、その変形を防止するものである。本発明の変形防止具は、設置面に固定される固定ケースと、固定ケース内に収容された昇降体と、固定ケース内の昇降体を固定ケース内で昇降可能に支持する支持ピンと、支持ピンを作動させる操作具と、固定ケースに被せる外カバーを備え、前記操作具の操作によって前記支持ピンを所定方向に移動させると、当該支持ピンの動きに伴って当該支持ピンで支持された昇降体が上昇又は降下し、当該昇降体の上昇又は降下によって前記固定ケースの下端から前記外カバーの上端までの高さが変わるようにしたものである。【選択図】図３
2020143531.tif 000002
【特許請求の範囲】
【請求項１】
個室などに設置される扉の下側を回転可能に保持する下側ヒンジを、その下側から支える変形防止具において、
設置面に固定される固定ケースと、当該固定ケース内に収容された昇降体と、当該固定ケース内の昇降体を当該固定ケース内で昇降可能に支持する支持ピンと、当該支持ピンを作動させる操作具と、当該固定ケースに被せる外カバーを備え、
前記操作具の操作によって前記支持ピンを所定方向に移動させると、当該支持ピンの動きに伴って当該支持ピンで支持された昇降体が上昇又は降下し、当該昇降体の上昇又は降下によって前記固定ケースの下端から前記外カバーの上端までの高さが変わる、
ことを特徴とする変形防止具。
【請求項２】
請求項１記載の変形防止具において、
昇降体と外カバーの間にスペーサが設けられた、
ことを特徴とする変形防止具。
【請求項３】
請求項１又は請求項２記載の変形防止具において、
固定ケースに水平ガイド溝が設けられ、
昇降体に斜めガイド溝が設けられ、
前記昇降体は、前記斜めガイド溝の一部が前記水平ガイド溝と連通するように前記固定ケース内に設けられ、
前記昇降体は、前記斜めガイド溝及び前記水平ガイド溝の双方に挿通された支持ピンによって昇降可能に支持され、
操作具の操作によって前記支持ピンを前記水平ガイド溝に沿って所定方向に移動させると、当該支持ピンの動きに伴って当該支持ピンで支持された上昇又は降下する、
ことを特徴とする変形防止具。
【請求項４】
請求項１から請求項３のいずれか１項に記載の変形防止具において、
操作具の一部が外カバーの外側に露出しており、
前記操作具は前記外カバーの外側に露出した部分から操作することができる、
ことを特徴とする変形防止具。
【請求項５】
請求項４記載の変形防止具において、
操作具が露出した外カバーの外側に化粧カバーが取り付けられた、
ことを特徴とする変形防止具。
【発明の詳細な説明】
【技術分野】
【０００１】
本発明は、個室などに設置される扉を保持するヒンジを下側から支えて、その変形を防止する変形防止具に関する。
【背景技術】
【０００２】
トイレなどの個室には出入り口を開閉する扉が設置される。扉はその幅方向一方の上下に配置されるＬ字状のヒンジ（上側ヒンジ及び下側ヒンジ）を介して袖パネルに固定される（特許文献１）。前記支持金物で保持された扉は、その自重によって支持金物が変形し、支持金物で保持されていない自由端側が下がって扉が傾くことがある。扉が傾くと、扉の自由端側の上部が隣接する袖パネルに接触して、扉や袖パネルが欠損することがある。また、扉にスライド錠が設けられている場合には、扉の傾きによってラッチとストライクの位置にずれが生じ、ラッチがストライクに嵌まらなくなることがある。
【０００３】
このような不都合を解消するため、本件出願人は、支持金具の変形を防止する支持金物変形防止板を開発した（特許文献２）。この支持金具変形防止板によれば、支持金具の変形を防止することができる。
【先行技術文献】
【特許文献】
【０００４】
【特許文献１】特開２００１−２２７２３６号公報
【特許文献２】特開２０１７−１９３８２６号公報
【発明の概要】
【発明が解決しようとする課題】
【０００５】
ところが、個室を設置する場所は床に勾配があることもあり、支持金具と床面の距離は常に一定というわけではない。このため、床面と支持金具の底面の距離に合わせて、高さ調整をする必要がある。前記特許文献２の支持金物変形防止板は、複数枚を積層することによって高さ調整を行うことはできるが、微調整が難しく、この点については改善の余地がある。
【０００６】
本発明は前記事情に鑑みてなされたものであり、その解決課題は、床面と支持金具の底面の隙間の広狭に関わらず、扉の傾きを確実に防止することのできる変形防止具を提供することにある。
【課題を解決するための手段】
【０００７】
本発明の変形防止具は、個室などに設置される扉の下側を回転可能に保持する下側ヒンジを下側から支えて、その変形を防止するものである。本発明の変形防止具は、設置面に固定される固定ケースと、固定ケース内に収容された昇降体と、固定ケース内の昇降体を固定ケース内で昇降可能に支持する支持ピンと、支持ピンを作動させる操作具と、固定ケースに被せる外カバーを備え、前記操作具の操作によって前記支持ピンを所定方向に移動させると、当該支持ピンの動きに伴って当該支持ピンで支持された昇降体が上昇又は降下し、当該昇降体の上昇又は降下によって前記固定ケースの下端から前記外カバーの上端までの高さが変わるようにしたものである。
【発明の効果】
【０００８】
本発明の変形防止具は、昇降体の昇降によって高さ調整をするものであり、高さの微調整が可能であるため、床面と支持金具の底面の隙間の広狭に関わらず、扉の傾きを確実に防止することができる。
【図面の簡単な説明】
【０００９】
【図１】本発明の変形防止具の使用状態を示す正面図。
【図２】図１のＸ部拡大図。
【図３】本発明の変形防止具の一例を示す斜視図。
【図４】図３に示す変形防止具の分解斜視図。
【図５】図３に示す変形防止具の六面図であって、（ａ）は正面図、（ｂ）は（ａ）の背面図、（ｃ）は（ａ）の平面図、（ｄ）は（ａ）の底面図、（ｅ）は（ａ）の左側面図、（ｆ）は（ａ）の右側面図。
【図６】本発明の変形防止具の他例を示す斜視図。
【図７】図６に示す変形防止具の分解斜視図。
【図８】図３に示す変形防止具の作用説明図であって、（ａ）は昇降体が一番低い位置にある場合の説明図、（ｂ）は昇降体が一番高い位置にある場合の説明図。
【図９】図６に示す変形防止具の作用説明図であって、（ａ）は昇降体が一番低い位置にある場合の説明図、（ｂ）は昇降体が一番高い位置にある場合の説明図。
【図１０】（ａ）〜（ｆ）は本発明の変形防止具の設置手順の説明図。
【発明を実施するための形態】
【００１０】
（実施形態１）
本発明の変形防止具１０の実施形態の一例を、図１〜図５を参照して説明する。本発明の変形防止具１０は、図１に示すように、扉Ａの下側を回転可能に保持する下側ヒンジＣをその下側から支持するものである。
【００１１】
この実施形態の変形防止具１０は、図２〜図４に示すように、床などの所定位置（以下「設置部」という）に固定される固定ケース１と、固定ケース１内に収まる昇降体２と、固定ケース１内に収容された昇降体２を支持する支持ピン３と、支持ピン３を作動させる操作具４と、固定ケース１に被せる外カバー５と、操作具４を隠す化粧カバー６を備えている。この実施形態では、これら各部材をステンレス製としてある。各部材はアルミ製など、他の材質製とすることもできる。
【００１２】
前記固定ケース１は前面部１ａ、背面部１ｂ、左側面部１ｃ、右側面部１ｄ及び底面部１ｅを備えた上部開口の容器である。前面部１ａは背面部１ｂと、左側面部１ｃは右側面部ｄと対向している。左側面部１ｃ及び右側面部１ｄの後端側は、背面部１ｂよりも後方に突出してある。左側面部１ｃ及び右側面部１ｄの後端側を、背面部１ｂよりも後方に突出させて背面部１ｂの後方に空間を形成することによって、後述する抜け止めナット７が当該空間内に収まる。これにより、抜け止めナット７が背面部１ｂの外側に突出することがなくなるため、変形防止具１０を巾木Ｅとの間に隙間なく取り付けることができる。
【００１３】
前記固定ケース１の前面部１ａ及び背面部１ｂには、それぞれの肉厚方向に貫通する挿通孔１ｆ、１ｇが設けられている。挿通孔１ｆ、１ｇは、操作具４を挿入する孔である。挿通孔１ｆ、１ｇは互いに対向する位置に設けられている。
【００１４】
前記固定ケース１の前記左側面部１ｃ及び右側面部１ｄには、水平ガイド溝１ｈ、１ｉが設けられている。水平ガイド溝１ｈ、１ｉは、前記支持ピン３を水平方向にガイドするものである。両水平ガイド溝１ｈ、１ｉは互いに対向する位置に設けられている。両水平ガイド溝１ｈ、１ｉは、同じ形状、同じ長さ、同じ幅としてある。
【００１５】
固定ケース１の前記左側面部１ｃ及び右側面部１ｄには、水平ガイド溝１ｈ、１ｉに代えて、非貫通の（凹陥状の）水平ガイド凹部（図示しない）を設けることもできる。なお、水平ガイド溝１ｈ、１ｉ及び水平ガイド凹部は、支持ピン３を前後方向にガイドできるものであれば、厳密な意味で水平である必要はない。
【００１６】
前記固定ケース１の底面部１ｅには、四つのビス孔１ｊが設けられている。固定ケース１は、当該ビス孔１ｊに挿通されたビスによって、設置部に固定される。
【００１７】
前記昇降体２は、対向配置された二枚の立設板２ａ、２ｂと、両立設板２ａ、２ｂの上端を連結する連結板２ｃを備えている。両立設板２ａ、２ｂには、前方側が高く、後方側が低い斜めガイド溝２ｄ、２ｅが設けられている。両斜めガイド溝２ｄ、２ｅは、互いに対向する位置に設けられている。両斜めガイド溝２ｄ、２ｅは、同じ形状、同じ長さ、同じ幅としてある。
【００１８】
前記昇降体２は、一方の立設板２ａが左側面部１ｃに、他方の立設板２ｂが右側面部１ｄに当接するように、固定ケース１内に収容されている。固定ケース１内に収容された昇降体２は、両斜めガイド溝２ｄ、２ｅと両水平ガイド溝１ｈ、１ｉの一部が重なって連通するようにしてある。固定ケース１とその内部に収容された昇降体２は、連通する両斜めガイド溝２ｄ、２ｅ及び両水平ガイド溝１ｈ、１ｉに挿通された支持ピン３によって、固定ケース１に支持されている。
【００１９】
前記支持ピン３は、水平ガイド溝１ｈ、１ｉに沿って水平移動する部材である。この実施形態の支持ピン３は円柱状であり、長手方向中央付近に前後方向に貫通する通し孔３ａが設けられている。通し孔３ａは操作具４が挿通される部分である。通し孔３ａの内周面には操作具４の外ネジと螺合する内ネジが設けられている。支持ピン３は、その長手方向両端側が、両水平ガイド溝１ｈ、１ｉの周縁に支持される程度の長さとしてある。
【００２０】
前記操作具４は、支持ピン３を操作して昇降体２を昇降させるものである。この実施形態の操作具４は、外ネジが形成された軸部４ａと、その軸部４ａの一端側に設けられた頭部４ｂを備えたビスである。頭部４ｂの頂面には、操作具４の操作に用いる工具（例えば、ドライバー）を差し込むドライバー溝４ｃが設けられている。ドライバー溝４ｃはプラス溝でもマイナス溝でもよい。操作具４は工具によって操作することができる。
【００２１】
前面部１ａの挿通孔１ｆの外側から挿通された操作具４は、支持ピン３の通し孔３ａ及び背面部１ｂの挿通孔１ｇに挿通し、背面部１ｂの挿通孔１ｇを通過した部分に抜け止めナット７が固定されている。抜け止めナット７は操作具４の抜けを防止するものである。抜け止めナット７にはＵナット等を用いることができる。
【００２２】
前記外カバー５は、固定ケース１の上側から被せるカバーである。この実施形態の外カバー５は、カバー前面部５ａ、カバー背面部５ｂ、カバー左側面部５ｃ、カバー右側面部５ｄ及びカバー上面部５ｅを備えた下部開口の中空体である。カバー前面部５ａはカバー背面部５ｂと、カバー左側面部５ｃはカバー右側面部５ｄと対向している。
【００２３】
前記外カバー５のカバー前面部５ａには下端側が開口した前面スリット５ｆが、カバー背面部５ｂには上下方向に貫通した背面スリット５ｇが設けられている。前面スリット５ｆ及び背面スリット５ｇは、昇降体２及び外カバー５の昇降を阻害しないようにするための切欠きである。外カバー５のカバー上面部５ｅは、扉Ａを支持する下側ヒンジＣに当接してこれらを下側から支える部分である。
【００２４】
カバー上面部５ｅは、その前後方向及び左右方向から、下側ヒンジＣがはみ出さない大きさとしてある。
【００２５】
前記化粧カバー６は、操作具４の端面を隠すための部材である。この実施形態の化粧カバー６は、外カバー５のカバー前面部５ａと同程度の大きさの縦長方形状の薄板である。化粧カバー６はカバー前面部５ａと同程度の大きさである。化粧カバー６は、操作具４を用いての高さ調整が完了したのちに、カバー前面部５ａの前面に接着固定される。化粧カバー６の接着方法は任意に選択することができる。
【００２６】
前記化粧カバー６の構成は一例であり、これ以外の構成とすることもできる。例えば、操作具４の頭部４ｂの位置に開口を備えた孔あきカバーとその開口を塞ぐ閉塞カバーを備えたものとし、閉塞カバーの部分だけを自由に取り外せるようにすることもできる。なお、化粧カバー６は必要に応じて設ければよく、不要な場合には省略することができる。
【００２７】
この実施形態の変形防止具１０は、図５（ａ）〜（ｆ）に示すような外観を備えている。図５（ａ）はこの実施形態の変形防止具１０の正面図、図５（ｂ）は図５（ａ）の背面図、図５（ｃ）は図５（ａ）の平面図、図５（ｄ）は図５（ａ）の底面図、図５（ｅ）は図５（ａ）の左側面図、図５（ｆ）は図５（ａ）の右側面図である。
【００２８】
（実施形態２）
本発明の変形防止具１０の実施形態の他例を、図６及び図７を参照して説明する。この実施形態の変形防止具１０の基本的な構成は、実施形態１と同様である。異なるのは、昇降体２の上に高さだし用のスペーサ８が設けられていることである。ここでは、実施形態１と共通する部分については同一の符号を付してその説明を適宜省略し、実施形態１と異なる部分を中心に説明する。
【００２９】
一例として図６及び図７に示すスペーサ８は、昇降体２の連結板２ｃに当接するスペーサ底面部８ａと、当該スペーサ底面部８ａの前端側から立ち上げられたスペーサ前立設部８ｂと、スペーサ底面部８ａの後端側から立ち上げられたスペーサ後立設部８ｃと、スペーサ前立設部８ｂの上端から前方側に折り返されたスペーサ前当接部８ｄと、スペーサ後立設部８ｃの上端から後方側に折り返されたスペーサ後当接部８ｅを備えている。
【００３０】
前記スペーサ底面部８ａは昇降体２の連結板２ｃに固定され、スペーサ前当接部８ｄ及びスペーサ後当接部８ｅは、外カバー５のカバー上面部５ｅに固定されている。スペーサ８は昇降体２や外カバー５に固定することなく、フリーの状態で連結板２ｃとカバー上面部５ｅの間に配置することもできる。
【００３１】
前記スペーサ８の構成は一例であり、昇降体２と外カバー５のカバー上面部５ｅとの間に所望の高さを確保できるものであれば、これ以外の構成とすることもできる。
【００３２】
（その他の実施形態）
前記実施形態１及び２では、固定ケース１の前面部１ａ及び背面部１ｂに挿通孔１ｆ、１ｇが設けられた場合を一例としているが、挿通孔１ｆ、１ｇは固定ケース１の左側面部１ｃ及び右側面部１ｄに設けてもよい。この場合、水平ガイド溝１ｈ、１ｉを前面部１ａ及び背面部１ｂに設け、昇降体２や外カバー５、スペーサ８は９０度回転させればよい。
【００３３】
（作用）
本発明の変形防止具１０の作用を、図８（ａ）（ｂ）を参照して説明する。ここでは、実施形態１の変形防止具１０を一例として説明する。
【００３４】
図８（ａ）は昇降体２が一番低い位置にある場合を示すものである。この状態で、操作具４を反時計周りに回すと、操作具４の外ネジと螺合する支持ピン３が両水平ガイド溝１ｈ、１ｉ内を後方側（図８（ａ）のＬ矢印方向）に移動する。支持ピン３が両水平ガイド溝１ｈ、１ｉ内を後方側に移動すると、両斜めガイド溝２ｄ、２ｅの周縁に係合する支持ピン３をガイドとして、昇降体２が上昇する（図８（ｂ））。
【００３５】
反対に、昇降体２を降下させる場合、操作具４を時計回りに回せばよい。具体的には、昇降体２が一番高い位置にある状態（図８（ｂ））で、操作具４を時計周りに回すと、操作具４の外ネジと螺合する支持ピン３が両水平ガイド溝１ｈ、１ｉ内を前方側（図８（ｂ）のＲ矢印方向）に移動する。支持ピン３が両水平ガイド溝１ｈ、１ｉ内を前方側に移動すると、両斜めガイド溝２ｄ、２ｅの周縁に係合する支持ピン３をガイドとして、昇降体２が降下する（図８（ａ））。
【００３６】
なお、前記作用説明では、実施形態１の変形防止具１０を一例としているが、実施形態２の変形防止具１０も実施形態１の変形防止具１０と同様に作用する。ただし、スペーサ８が設けられた実施形態２では、昇降体２の昇降に伴って外カバー５が昇降するのみならず、図９（ａ）（ｂ）に示すように、昇降体２の昇降に伴ってスペーサ８及び外カバー５が昇降する。
【００３７】
以上説明したとおり、前記各実施形態の変形防止具１０は、操作具４の操作によって昇降体２及び外カバー５（スペーサ８がある場合はスペーサ８）を昇降させ、その昇降によって高さ調整を行うものであるため、高さの微調整が可能である。この結果、床面と支持金具の底面の隙間の広狭に関わらず、扉の傾きを確実に防止することができる。また、前記各実施形態の変形防止具１０はステンレス製であり、巾木Ｅと同程度の箱型の外観を備えているため、巾木Ｅとのデザイン的な統一感を出しやすいというメリットもある。
【００３８】
（使用例）
本発明の変形防止具１０の使用例について、図１０（ａ）〜（ｆ）を参照して説明する。ここでは、実施形態１の変形防止具１０を一例とするが、実施形態２の変形防止具１０も同様の手順で設置することができる。
（１）所定位置に固定ケース１を固定したのち、その固定ケース１の所定位置に昇降体２、支持ピン３、操作具４、外カバ−５、抜け止めナット７等を装備して、変形防止具１０をセットする。（図１０（ａ））。
（２）袖パネルＢに下側ヒンジＣを固定する（図１０（ｂ））。
（３）ドライバーなどの工具で操作具４を反時計周りに回転させ、昇降体２及び外カバー５を上昇させる（図１０（ｃ））。
（４）上昇させた昇降体２及び外カバー５で下側ヒンジＣを下側から押し上げ、下側ヒンジＣ及び扉Ａの荷重を支持する（図１０（ｄ））。
（５）扉Ａを下側ヒンジＣ及び上側ヒンジＤ（図１）に固定して扉Ａの設置を完了する（図１０（ｅ））。
（６）カバー前面部５ａの外側に化粧カバー６を取り付ける（図１０（ｆ））。化粧カバー６は扉Ａの設置前に取付けてもよい。
【００３９】
前記設置手順では説明を省略しているが、扉Ａの取付け後、必要に応じて変形防止具１０の高さを再調整することもできる。実施形態１や実施形態２の変形防止具１０は、操作具４の頭部４ｂが外カバー５の前面スリット５ｆから露出しているため、扉Ａを取り付けた後にも高さ調整を行うことができる。
【産業上の利用可能性】
【００４０】
本発明の変形防止具１０は、トイレブースや更衣室といった各種個室に設置される扉を保持するヒンジ（下側ヒンジＣ）を支える装置として広く利用することができる。
【符号の説明】
【００４１】
１      固定ケース
１ａ    前面部
１ｂ    背面部
１ｃ    左側面部
１ｄ    右側面部
１ｅ    底面部
１ｆ、１ｇ  挿通孔
１ｈ、１ｉ  水平ガイド溝
１ｊ    ビス孔
２      昇降体
２ａ、２ｂ  立設板
２ｃ    連結板
２ｄ、２ｅ  斜めガイド溝
３      支持ピン
３ａ    通し孔
４      操作具
４ａ    軸部
４ｂ    頭部
４ｃ    ドライバー溝
５      外カバー
５ａ    カバー前面部
５ｂ    カバー背面部
５ｃ    カバー左側面部
５ｄ    カバー右側面部
５ｅ    カバー上面部
５ｆ    前面スリット
５ｇ    背面スリット
６      化粧カバー
７      抜け止めナット
８      スペーサ
８ａ    スペーサ底面部
８ｂ    スペーサ前立設部
８ｃ    スペーサ後立設部
８ｄ    スペーサ前当接部
８ｅ    スペーサ後当接部
１０    変形防止具
Ａ      扉
Ｂ      袖パネル
Ｃ      下側ヒンジ
Ｄ      上側ヒンジ
Ｅ      巾木
【図１】
2020143531.tif 000003
【図２】
2020143531.tif 000004
【図３】
2020143531.tif 000005
【図４】
2020143531.tif 000006
【図５】
2020143531.tif 000007
【図６】
2020143531.tif 000008
【図７】
2020143531.tif 000009
【図８】
2020143531.tif 000010
【図９】
2020143531.tif 000011
【図１０】
2020143531.tif 000012